(57)【要約】【課題】本発明は、タブシートと通常の印刷済用紙が混在した用紙ジョブにおいて、印刷済用紙が用紙積載テーブル上でタブシートの印刷方向に合わせて順序正しく積載可能な排紙装置を提供することを課題とする。【解決手段】本発明は、用紙積載テーブルの上方で且つ用紙進行方向の下流に配置され、用紙進行方向に往復摺動することにより前記用紙の進行方向位置を規制する用紙整列部材を、タブシートが混在する印刷ジョブが排出される際には、タブシートのタブ部の送り方向長さ分だけ下流方向に移動し、かつ、印刷データを印刷ジョブの最後のページから展開することを特徴とする。【選択図】図４
2004286903.tif 000002
【特許請求の範囲】
【請求項１】
用紙排出装置から送られてくる用紙を用紙進行方向に送出する排紙ローラと、前記用紙を用紙積載位置に積み重ねて収容する用紙積載テーブルと、前記用紙積載テーブルの上方で且つ用紙進行方向の下流に配置され、用紙進行方向に往復摺動することにより前記用紙の進行方向位置を規制する用紙整列部材と、前記用紙整列部材の位置を検出する位置検出手段とを有する排紙装置において、前記用紙整列部材は、タブシートが混在する印刷ジョブが排出される際には、タブシートのタブ部の送り方向長さ分だけ下流方向に移動し、かつ、印刷データを印刷ジョブの最後のページから展開することを特徴とする排紙装置。
【請求項２】
前記タブシートが混在しないジョブでは、前記用紙に印刷されるデータを印刷ジョブの最初のページから展開することを特徴とする請求項１記載の排紙装置。
【請求項３】
請求項１または２に記載の排紙装置を備えたことを特徴とする画像形成装置。
【発明の詳細な説明】
【０００１】
【発明の属する技術分野】
本発明は、複写機、レーザビームプリンタ等の画像形成装置の後段に接続される排紙装置及びこれを備えた画像形成装置に関するものである。
【０００２】
【従来の技術】
排紙装置は、画像形成装置の後段に設けられ、画像形成装置から出力される印刷済用紙を揃えて積み重ねていくものである。この排紙装置は、製本等の後処理を考慮し、用紙進行方向及び用紙進行方向の垂直方向（用紙幅方向）に用紙を不揃なく整列させる必要がある。
【０００３】
タブシートが混在する印刷ジョブを揃える為の排紙装置として次ぎの構成のものが知られている。用紙積載テーブル上方に独立に設けられ、用紙進行方向に配置された用紙整列部材（以下先端ストッパという）を有し、先端ストッパは用紙進行方向に往復摺動可能であり、先端ストッパは、前記用紙取扱装置にタブシートが混在した印刷ジョブが排出される際には、図３の如く、タブシートのタブ部の送り方向長さ分だけ下流方向に移動した位置に停止し、また、タブシートが混在しないジョブでは、用紙が用紙積載テーブルに積載された直後に、用紙積載位置から用紙進行方向に所定距離はなれた待機位置と前記用紙積載位置の端部近傍との間を往復摺動する。また、タブシートが混在した印刷ジョブにおいて、印刷されたタブシートは、タブシートのタブ部が用紙進行方向上流側を向くように用紙積載テーブル上に排出される。
【０００４】
【発明が解決しようとする課題】
上記従来の構成においては、タブシートが混在された印刷ジョブにおいて、印刷されたタブシートは、タブシートのタブ部が用紙進行方向上流側を向くように用紙積載テーブル上に排出される為、図５の如くタブシート以外の通常の印刷済用紙は印刷データが用紙積載テーブル上では、下側から上側への並びになってしまう。
【０００５】
本発明は、上記課題に鑑みて為されたものであり、タブシートと通常の印刷済用紙が混在した用紙ジョブにおいて、印刷済用紙が用紙積載テーブル上でタブシートの印刷方向に合わせて順序正しく積載するようにすることを目的とする。
【０００６】
【課題を解決するための手段】
上記の目的は、用紙整列部材を、タブシートが混在する印刷ジョブが排出される際には、タブシートのタブ部の送り方向長さ分だけ下流方向に移動し、且つ、印刷データを印刷ジョブの最後のページから展開することによって達成される。
【０００７】
【発明の実施の形態】
以下図面に基づいて、本発明を具体化した実施例を説明する。図１、図２に示すように、排紙装置２は、複写機及びレーザプリンタなどの画像形成装置３の後方に配置されており、該画像形成装置３から送り込まれてくる印刷済用紙１を次段にオペレータ側又は、反オペレータ側に振り分け送り出す用紙搬送ローラ対４と、昇降移動可能に支持され用紙搬送ローラ対４から送り出されてくる印刷済用紙１を積み重ね収容する用紙積載テーブル６と、スタック部用紙進行方向に平行に配置され印刷済用紙１の進行方向に平行な両端エッジ部を繰り返し押し付けることにより印刷済用紙１を用紙進行方向と直交方向に整列させる摺動可能な用紙整列部材（以下ジョガーという）７と、スタック部用紙進行方向と直交方向に配置され、印刷済用紙１の先端部を繰り返し押し付けることにより、用紙１を用紙進行方向に整列させる摺動可能な先端ストッパ８と、ジョガー７の位置検出手段１７と、先端ストッパ８の位置検出手段１８と、用紙積載テーブル６上の印刷済用紙１の後端部を直交方向に押し付ける回転部材９と、回転部材９近傍の一定位置に立設固定された櫛歯状の用紙整列部材（以下用紙後端ストッパという。）１５と、用紙積載テーブル６上に排出された印刷済用紙１の上面を押える為に複数個配列された用紙上面押えローラ５と、用紙積載面上面を検知する検出手段１０とから構成される。用紙積載テーブル６は昇降可能に設けられたテーブルアーム１１の上に着脱自在に設けられており、用紙積載テーブル６上に所定量の用紙が積載された際には、テーブルアーム１１から用紙積載テーブル６ごと取り外してオペレータが運搬できるようになっている。用紙積載テーブル６にはジョガー７と印刷済用紙１の空振り防止の為の用紙後端突起部１６が設けられている。ジョガー７及び先端ストッパ８は、モータ１２からの動力を、動力伝達ベルト１３、駆動シャフト１４を介してスタックされる印刷済用紙１のサイズにあわせて摺動される。また、回転部材９は図示しないモータ１２からの動力を、図示しない動力伝達ベルト、駆動シャフトを介して回転される。画像形成装置３にてタブシート１９（タブ部２０を含む）と通常の印刷用紙が混在した印刷ジョブの印刷が開始されると反オペレータ側ジョガー（以下リアジョガーという。）７ａ、オペレータ側ジョガー（以下フロントジョガーという。）７ｂ及び先端ストッパ８は、それぞれの位置検出手段にてホームポジション位置を検出し、印刷される用紙サイズに併せて規定の位置に移動する。先端ストッパ８は印刷済用紙１がジョブシフトされる方向に関係なく、混在されるタブシート１９のサイズに合わせてタブシート１９の進行方向先端部エッジに接する位置近傍まで移動し停止する。タブシート１９と通常の印刷済用紙１が用紙搬送ローラ対４から排出され、先端ストッパ８がストッパとなり用紙の送り方向を整列させる。用紙の送り方向と直角な方向については、用紙積載テーブル６上にスタックされた直後に反オペレータ側へのジョブシフトの際はリアジョガー７ａが、オペレータ側へのジョブシフトの際はフロントジョガー７ｂがそれぞれ相対する各用紙エッジ部方向に用紙を押込みジョガー７の場合は停止側のジョガー７がストッパとなりタブシート１９及び印刷済用紙１を整列させる。又動作側のジョガー７が相対する用紙エッジ部を各ストッパ迄押込み待機位置に戻る往復動作を排紙装置に搬送されてくる印刷済用紙１枚毎に繰り返す。
【０００８】
又、リアジョガー７ａ及びフロントジョガー７ｂの往復動作側待機位置の規定量を印刷済用紙１の進行方向に平行なエッジ部から９〜１０ｍｍにし、その位置から相対する用紙エッジ部に接する位置まで往復動作を行う。
【０００９】
さらに、タブシート１９が混在しないジョブでは、先端ストッパ８は、印刷済用紙１が用紙積載テーブル６上に積載された直後に、用紙積載位置から用紙進行方向に所定距離はなれた待機位置と前記用紙積載位置の端部近傍との間を往復摺動させている。
【００１０】
次に、図４を用いて片面印刷する場合について説明する。印刷用紙２１とタブシート１９は、各々別々の給装置紙装置にセットされ、印刷用紙２１に印字されるジョブの切れ目で、タブシート１９は仕分けの為、ジョブの間に挿入される。
【００１１】
２２は電子写真方式による印刷装置の感光体ドラムである。図示しない制御装置により印刷データは図示しない光学式書込み装置により、前記感光体ドラム２２上に書込まれ、図示しない現像装置により可視化したトナー像となり印刷用紙２１に転写、定着することで印刷される。印刷された用紙２１はフェースアップで排紙装置２の用紙積載テーブル６上に積載される。ここで、印刷データを最後のページから展開することにより、用紙積載テーブル６上の印刷用紙２１に印字されたデータは、ページ順に積載可能となる。
【００１２】
【発明の効果】
以上説明したように、本発明によれば、タブシートが混在した印刷ジョブにおいて、印刷済用紙が用紙積載テーブル上でタブシートの印刷方向に合わせ順序正しく積載することが出来る。
【図面の簡単な説明】
【図１】本発明の実施例である排紙装置の用紙積載部を示す正面構成図である。
【図２】本発明の実施例である排紙装置の用紙積載部を示す側面構成図である。
【図３】本発明の実施例である排紙装置の用紙積載部を示す上面構成図である。
【図４】本発明の実施例である画像形成装置の印刷用紙の片面印刷時の用紙積載状態を示す側面構成図である。
【図５】従来の画像形成装置の印刷用紙の片面印刷時の用紙積載状態を示す側面構成図である。
【符号の説明】
１は印刷済用紙、２は排紙装置、３は画像形成装置、４は用紙搬送ローラ、５は用紙上面押えローラ、６は用紙積載テーブル、７はジョガー、７ａはリアジョガー、７ｂはフロントジョガー、８は先端ストッパ、９は回転部材、１０は積載用紙上面検出手段、１１はテーブルアーム、１２はモータ、１３は動力伝達ベルト、１４は駆動シャフト、１５は用紙後端ストッパ、１６は用紙後端突起部、１７は、ジョガー位置検出手段、１８は先端ストッパ検出手段、１９はタブシート、２０はタブシートのタブ部、２１は印刷用紙、２２は感光体ドラム、２３は印字面である。
【図１】
2004286903.tif 000003
【図２】
2004286903.tif 000004
【図３】
2004286903.tif 000005
【図４】
2004286903.tif 000006
【図５】
2004286903.tif 000007